(57)【要約】【課題】魚が餌を食いかけたときの不自然な抵抗感を極力排除するようにして良好な食い付きを得るとともに、魚が食い付いたときの手応えを判別し易くしてより簡単・確実に合わせられるようにした釣仕掛け係止具を提供する。【解決手段】ミチイト連結部材１と所定角度に屈曲された竿部材２とを備え、前記ミチイト連結部材１が、一端にミチイト連結部１ａを有し他端に前記竿部材との係合部１ｂを有し、前記竿部材２が、一端にハリス連結部２ｄを有し、他端に錘取付部２ｅを有し、その屈曲部の外側に前記係合部１ｂと揺動自在に係合する係合部２ｃを有してなる釣仕掛け係止具Ａである。【選択図】　図１
2004024146.tif 000002
【特許請求の範囲】
【請求項１】
ミチイト連結部材と所定角度に屈曲された竿部材とを備え、前記ミチイト連結部材が、一端にミチイト連結部を有し他端に前記竿部材との係合部を有し、
前記竿部材が、一端にハリス連結部を有し、他端に錘取付部を有し、その屈曲部の外側に前記係合部と揺動自在に係合する係合部を有してなる
ことを特徴とする釣仕掛け係止具。
【請求項２】
竿部材が、錘取付部に取り付けられる錘により水中でバランスをとるよう構成されてなることを特徴とする請求項１記載の釣仕掛け係止具。
【請求項３】
錘取付部から屈曲部までの部分が、ハリス連結部から屈曲部までの部分の舵取り軸として機能するよう構成されてなることを特徴とする請求項２記載の釣仕掛け係止具。
【請求項４】
ミチイト連結部材および竿部材の色が、水または海水に溶け込むような色または透明とされてなることを特徴とする請求項１記載の釣仕掛け係止具。
【請求項５】
一端にハリス連結部を有し、他端に錘取付部を有し、その屈曲部の外側に前記係合部と揺動自在に係合する係合部を有してなることを特徴とする竿部材。
【請求項６】
錘取付部に取り付けられる錘により水中でバランスをとるよう構成されてなることを特徴とする請求項５記載の竿部材。
【請求項７】
錘取付部から屈曲部までの部分が、ハリス連結部から屈曲部までの部分の舵取り軸として機能することを特徴とする請求項６記載の竿部材。
【請求項８】
色が水または海水に溶け込むような色または透明とされてなることを特徴とする請求項５記載の竿部材。
【発明の詳細な説明】
【０００１】
【発明の属する技術分野】
本発明は、釣仕掛け係止具に関する。さらに詳しくは、ミチイトに連結された状態で水中に投ぜられて使用される、良好な魚の食い付を得、かつ合わせが簡単に行えるよう工夫された釣仕掛け係止具に関する。
【０００２】
【従来の技術】
従来より、ハリスとミチイトとの間に介装される介装具や連結具などの釣仕掛け係止具として天秤が用いられている。
【０００３】
天秤は、例えば図４に示すように、釣竿１０１から繰り出されるミチイト１０２の先端に錘１０３を取り付け、錘１０３の直前にミチイト１０２と垂直な方向に延びるようにして例えばステンレス製の弾性のある棒状部材１０４を設け、この棒状部材１０４の先端にハリス１０５を取り付けるようにして、ハリス１０５をミチイト１０２に連結するものとされる。この構成によって、ハリス１０５とミチイト１０２との絡みを防止するとともに、魚の食付の向上を図ることが可能となる。
【０００４】
ところが、前掲のような従来の天秤を用いた仕掛けにおいては、棒状部材１０４の弾性のみに頼ってミチイト１０２とハリス１０５との連動を緩衝するようにしていたので、魚が餌を食いかけたときに不自然な抵抗を感じることがあり、魚を逃がすことが多いという問題がある。
【０００５】
これを避けるために、熟練者であれば水中でハリス１０５やミチイト１０２を弛ませるように釣竿を操作し、充分な釣果を得ることも可能であるが、初心者にはこのような操作が困難であるため充分な釣果を得ることができないといった問題がある。また、たとえハリス１０５やミチイト１０２を弛ませることができたとしても、糸の弛みによって魚のあたりがつかみにくくなり確実に合わせることが困難になるため、このことが特に初心者が釣りを楽しむ上での障碍になるといった事情もある。
【０００６】
さらに、従来の天秤においては、天秤機能を有効に発揮させるためある程度重い錘を使用する必要があり、ミチイト１０２の耐久性に問題を生じるとともに、魚が食い付いたときの手応えが判別しにくくなるためにさらに合わせを困難なものにするといった難点もある。
【０００７】
【発明が解決しようとする課題】
本発明はかかる従来技術の課題に鑑みなされたものであって、魚が餌を食いかけたときの不自然な抵抗感を極力排除するようにして良好な食い付きを得るとともに、魚が食い付いたときの手応えを判別し易くしてより簡単・確実に合わせられるようにした釣仕掛け係止具を提供することを目的としている。
【０００８】
【課題を解決するための手段】
本発明の釣仕掛け係止具は、ミチイト連結部材と所定角度に屈曲された竿部材とを備え、前記ミチイト連結部材が、一端にミチイト連結部を有し他端に前記竿部材との係合部を有し、前記竿部材が、一端にハリス連結部を有し、他端に錘取付部を有し、その屈曲部の外側に前記係合部と揺動自在に係合する係合部を有してなることを特徴とする。
【０００９】
本発明の釣仕掛け係止具においては、竿部材が、錘取付部に取り付けられる錘により水中でバランスをとるよう構成されてなるのが好ましい。
【００１０】
また、本発明の釣仕掛け係止具においては、錘取付部から屈曲部までの部分が、ハリス連結部から屈曲部までの部分の舵取り軸として機能するよう構成されてなるのが好ましい。
【００１１】
さらに、本発明の釣仕掛け係止具においては、ミチイト連結部材および竿部材の色が、水または海水に溶け込むような色または透明とされてなるのが好ましい。
【００１２】
一方、本発明の竿部材は、一端にハリス連結部を有し、他端に錘取付部を有し、その屈曲部の外側に前記係合部と揺動自在に係合する係合部を有してなることを特徴とする。この場合、錘取付部に取り付けられる錘により水中でバランスをとるよう構成されてなるのが好ましい。
【００１３】
また、本発明の竿部材においては、その錘取付部から屈曲部までの部分が、ハリス連結部から屈曲部までの部分の舵取り軸として機能するよう構成されてなるのが好ましい。
【００１４】
さらに、本発明の竿部材においては、その色が水または海水に溶け込むような色または透明とされてなるのが好ましい。
【００１５】
【作用】
本発明の釣仕掛け係止具は、前記の如く構成されているので、魚が餌を食いかけたときの不自然な抵抗感を極力排除するようにして良好な食い付きを得るとともに、魚が食い付いたときの手応えを判別し易くしてより簡単かつ確実に合わせられる。
【００１６】
【発明の実施の形態】
以下、添付図面を参照しながら本発明を実施形態に基づいて説明するが、本発明はかかる実施形態のみに限定されるものではない。
【００１７】
図１に、本発明の一実施形態に係る釣仕掛け係止具の概略構成を示す。この釣仕掛け係止具Ａは、一端にミチイトＢが取り付けられるミチイト連結部材１と、このミチイト連結部材１の他端で揺動自在に支持されるとともに、一端にハリスＣが取り付けられ他端に錘Ｄが取り付けられる竿部材２とを備えてなるものとされる。
【００１８】
図２にミチイト連結部材１の詳細を示す。ミチイト連結部材１は、金属、樹脂等からなる、一端にミチイト連結部１ａが設けられ、他端に竿部材２と係合する例えば輪状の係合部１ｂが設けられた細棒状または糸状の部材とされる。ミチイト連結部材１はミチイトＢが後掲する竿部材２の短軸２ｂと絡まないように所定の弾力性を有するものとされる。また、ミチイト連結部材１の色は、水や海水に溶け込むような色または透明とされるのが、魚にその存在を気付かせない点から好ましい。
【００１９】
図３に竿部材２の詳細を示す。竿部材２は、先細の長軸２ａと先細の短軸２ｂとからなり、この長軸２ａの基端部と短軸２ｂの基端部とをへの字状に一体的に構成してなる所定弾力性を有する棒状の部材とされる。長軸２ａと短軸２ｂとがなす角度θは、後掲する錘取付部２ｅに錘Ｄが取り付けられて、図１に示すように釣仕掛け係止具Ａが水中でバランスしたときに、長軸２ａの先端が水平方向よりも若干上を向くように調整されている。この竿部材２の色は、ミチイト連結部材１と同様には、水や海水に溶け込むような色または透明とされるのが、魚にその存在を気付かせない点から好ましい。
【００２０】
また、竿部材２は、例えば屈曲部分（長軸２ａと短軸２ｂとの接合部分）を支点としてミチイト連結部材１によって揺動自在に支持されるように、屈曲位置の外側にミチイト連結部材１の係合部１ｂと係合する例えば輪状の係合部２ｃが設けられるものとされる。
【００２１】
すなわち、竿部材２の輪状の係合部２ｃとミチイト連結部材１の輪状の係合部１ｂとを繋ぎ合わせるように係合させることによって、竿部材２をミチイト連結部材１により揺動自在に支持するものとされている。また、各係合部１ｂ、２ｃは互いに係合した状態で、遊びが少なくかつ滑らかに竿部材２が揺動するように、寸法、形状、接触面の状態が調整される。
【００２２】
長軸２ａは適度な弾性および強度を有する金属、樹脂等からなり、それ自体が通常の釣竿と同様のしなりを発揮するように、根本部分（短軸との接合部分）が太く、先端に近づくにしたがって細くなるように形成されている。そして、長軸２ａの先端にはハリスＣが連結されるハリス連結部２ｄが設けられるものとされる。
【００２３】
短軸２ｂは、先端部分に錘Ｄが取り付けられる錘取付部２ｅが設けられるとともに、長軸２ａよりも剛性が高くなるように形成されている。また、短軸２ｂは長軸２ａが流れ方向下流に向くよう舵取りする機能も有するものとされる。つまり、短軸２ｂは舵取り軸としても機能するものとされる。
【００２４】
しかして、このような構成を有する釣仕掛け係止具Ａは、ミチイトＢに取り付けられ水中に投ぜられたときに、竿部材２が錘Ｄによりバランスされた所定の姿勢でハリスＣを流れ下流方向に支持するので、魚がハリスＣに装着された針に付けられた餌（不図示である）を食いかけたときに、竿部材２がしなりつつ自由に揺動する。このため、魚が不自然な抵抗を感じることがなくなるので、良好な食い付きを得ることが可能となる。
【００２５】
また、長軸２ａを水よりも若干比重が大きい程度の素材から形成することによって、より軽量な錘Ｄで竿部材２をバランスさせることが可能となる。これにより、釣竿（不図示である）を介して手に伝わる魚のあたりが、錘Ｄの重さに紛れることなくより鮮明なものとなるので、魚のあたりを容易に判別することが可能となる。したがって、従来の天秤を用いた仕掛けよりも遙かに合わせが簡単かつ確実になる。
【００２６】
なお、以上の説明から明らかなように、本釣仕掛け係止具Ａは水底に接触しない態様、いわゆるふかせ釣りで使用されたときに本来の機能を発揮するものといえる。しかしながら、水底に接触した状態で使用しても特別な不都合は生じないので、適用される釣りの種類を特に限定するものではない。
【００２７】
また、ミチイト連結部材１および竿部材２の材質、形状、寸法、状態（例；蛍光の有無）が対象となる魚種に応じて適宜設定されることは勿論である。
【００２８】
【発明の効果】
以上詳述したように、本発明によれば、魚が餌を食いかけたときの不自然な抵抗感を極力排除するようにして良好な食い付きを得るとともに、魚が食い付いたときの手応えを判別し易くしてより簡単かつ確実に合わせられるという優れた効果が得られる。
【図面の簡単な説明】
【図１】本発明の一実施形態に係る釣仕掛け係止具の全体構成を示す模式図である。
【図２】ミチイト連結部材の詳細を示す模式図である。
【図３】竿部材の詳細を示す模式図である。
【図４】従来の仕掛けの一例を示す模式図である。
【符号の説明】
Ａ　　　釣仕掛け係止具
Ｂ　　　ミチイト
Ｃ　　　ハリス
Ｄ　　　錘
１　　　ミチイト連結部材
１ｂ　　ミチイト連結部材側係合部
２　　　竿部材
２ａ　　長軸
２ｂ　　短軸（舵取り軸）
２ｃ　　竿部材側係合部
【図１】
2004024146.tif 000003
【図２】
2004024146.tif 000004
【図３】
2004024146.tif 000005
【図４】
2004024146.tif 000006